(57)【要約】【課題】設計強度より小さい所定の強度で型枠および型枠支保工が外されたコンクリート躯体を、支持することができる支持具と、この支持具を使用したコンクリート系構造物の施工方法を提供する。【解決手段】下端部がｎ−１階のコンクリートスラブに支持され上端部２ａ近傍の外周面にねじ部３が形成された腰管２と、該腰管２内にスライド自在に挿通されｎ階のコンクリートスラブを下方から支持する差込管４と、腰管２のねじ部３に螺合しねじ部３に対する高さを調節可能な調節ねじ５と、下端部６ｂが調節ねじ５に支持されるとともに内部に腰管２が挿通されたパイプ（管状体）６と、差込管４に形成された貫通孔４ｃに挿入されて端部が差込管４の外周面から突出するピン（突起部）７と、パイプ６とピン７との間に介装されたばね部８と、ばね部８の伸縮長さを計測する計測具９と、を備える。【選択図】図２
2012167442.tif 000002
【特許請求の範囲】
【請求項１】
コンクリート系構造物の施工時に該構造物の梁やスラブなどのコンクリート躯体を支持する支持具であって、
下端部が前記構造物に支持される腰管と、
下端部が該腰管に対してスライド自在に連結されるとともに上端部で前記コンクリート躯体を支持する差込管と、
前記腰管と前記差込管との間に介装され前記腰管と前記差込管とを互いに離間する方向へ付勢して前記コンクリート躯体の荷重を負担する荷重負担機構と、を備えることを特徴とする支持具。
【請求項２】
前記腰管は外周面にねじ部が形成され、
前記荷重負担機構は、前記腰管の前記ねじ部に螺合し該ねじ部に対する高さを調節可能な調節ねじと、
下端部が該調節ねじに支持されるとともに内部に前記腰管が挿通された管状体と、
前記差込管の外周面から突出する突起部と、
前記管状体と前記突起部との間に介装され前記腰管と前記差込管とを互いに離間する方向へ付勢するばね部と、を備えることを特徴とする請求項１に記載の支持具。
【請求項３】
前記ばね部の伸縮長さを計測する計測具を備えることを特徴とする請求項２に記載の支持具。
【請求項４】
請求項１乃至３のいずれか１項に記載の支持具を用いたコンクリート系構造物の施工方法であって、
ｎ階のコンクリート躯体用の型枠を設置するｎ階型枠設置工程と、
前記ｎ階のコンクリート躯体用の型枠にコンクリートを打設するｎ階コンクリート打設工程と、
前記ｎ階のコンクリート躯体用の型枠に打設されたコンクリートの養生期間において前記コンクリートの強度が前記ｎ階のコンクリート躯体から前記型枠を外すことが可能な強度に達した後に、前記型枠を解体するｎ階型枠解体工程と、
前記ｎ階型枠解体工程において前記型枠が外された前記ｎ階のコンクリート躯体を前記支持具に支持させるために該支持具を設置するｎ階支持具設置工程と、
前記ｎ階型枠解体工程において解体した前記型枠をｎ＋１階のコンクリート躯体用の型枠として設置するｎ＋１階型枠設置工程と、
該ｎ＋１階のコンクリート躯体用の型枠にコンクリートを打設するｎ＋１階コンクリート打設工程と、
前記ｎ階のコンクリート躯体のコンクリートが設計強度に達した後に、前記ｎ階のコンクリート躯体を支持している前記支持具を解体するｎ階支持具解体工程と、
前記ｎ＋１階のコンクリート躯体用の型枠に打設されたコンクリートの養生期間において前記コンクリートの強度が前記ｎ＋１階のコンクリート躯体から前記型枠を外すことが可能な強度に達した後に、前記型枠を解体するｎ＋１階型枠解体工程と、
前記ｎ＋１階型枠解体工程において前記型枠が外された前記ｎ＋１階のコンクリート躯体を前記支持具に支持させるために前記ｎ階支持具解体工程において解体された前記支持具を設置するｎ＋１階支持具設置工程と、を備えることを特徴とするコンクリート系構造物の施工方法。
【発明の詳細な説明】
【技術分野】
【０００１】
本発明は、複数階を有する鉄筋コンクリート造や鉄骨鉄筋コンクリート造などのコンクリート系構造物の施工時に、コンクリート躯体を支持する支持具と、この支持具を用いたコンクリート系構造物の施工方法に関する。
【背景技術】
【０００２】
従来より、複数階を有するビルや集合住宅などのコンクリート系構造物の建設工事では、コンクリート躯体を下階から上階へ階ごとに順番に施工している。そして、このコンクリート躯体の型枠やパイプサポートなど型枠支保工を、下階から上階へ順次移動し、各階において転用している（例えば、特許文献１および２参照）。
【先行技術文献】
【特許文献】
【０００３】
【特許文献１】特開平６−３３６８３８号公報
【特許文献２】特許４２０４６０３号公報
【発明の概要】
【発明が解決しようとする課題】
【０００４】
コンクリートは、打設されてから設計強度に達するまで所定の養生期間が必要であるため、養生期間中のコンクリート躯体は、自重で撓んだり、この撓みによってひび割れが生じたりしないように、型枠とともに型枠支保工によって支持されている。
このため、型枠および型枠支保工は、コンクリートの養生期間が終了した後に解体されている。
【０００５】
ここで、図４（ａ）〜（ｃ）に示すように、複数階を有するコンクリート系の構造物３１の建設工事において、ある階（ｎ階）のコンクリートスラブ３２の養生期間中に、この階の直上階（ｎ＋１階）のコンクリートスラブ３２を施工しようとすると、ｎ階で型枠３３および型枠支保工３４を使用しているため、ｎ階の型枠３３および型枠支保工３４とは別の型枠３３および型枠支保工３４が必要となる。
【０００６】
ここで、ｎ＋１階のコンクリートスラブ３２の型枠３３および型枠支保工３４に、ｎ−１階のコンクリートスラブ３２の施工に使用していた型枠３３および型枠支保工３４を使用することができるが、この場合においても、２層分（２階分）の型枠３３および型枠支保工３４を準備する必要がある。
このため、型枠３３および型枠支保工３４の製作などの準備やこれらの管理に労力や費用がかかるという問題がある。
また、ｎ−１階のコンクリートスラブ３２の型枠３３および型枠支保工３４を、２階上のｎ＋１階コンクリートスラブ３２用の型枠３３および型枠支保工３４とするため、２層分（２階分）の揚重作業となり、この揚重作業に労力や時間がかかっている。
【０００７】
そして、各階毎に型枠および型枠支保工を転用して使用するには、コンクリートの養生期間が終了するよりも前に型枠および型枠支保工を解体する必要がある。しかし、このためには、型枠が外されたコンクリート躯体を支持して、コンクリート躯体が撓んだりひび割れたりすることを防止する支持具が必要となる。
【０００８】
本発明が解決しようとする課題は、コンクリートの養生期間が終了するよりも前に型枠が外されたコンクリート躯体を支持することができる支持具と、この支持具を使用したコンクリート系構造物の施工方法を提供することにある。
【課題を解決するための手段】
【０００９】
上記課題を達成するため、本発明に係る支持具は、コンクリート系構造物の施工時に該構造物の梁やスラブなどのコンクリート躯体を支持する支持具であって、下端部が前記構造物に支持される腰管と、下端部が該腰管に対してスライド自在に連結されるとともに上端部で前記コンクリート躯体を支持する差込管と、前記腰管と前記差込管との間に介装され前記腰管と前記差込管とを互いに離間する方向へ付勢して前記コンクリート躯体の荷重を負担する荷重負担機構と、を備えることを特徴とする。
【００１０】
本発明では、腰管と差込管との間に介装され腰管と差込管とを互いに離間する方向へ付勢してコンクリート躯体の荷重を負担する荷重負担機構を備えている。
これにより、養生期間中で、コンクリート躯体のコンクリートの強度が設計強度に達していない場合でも、このコンクリート躯体の型枠および型枠支保工を解体し、支持具を設置して該支持具にコンクリート躯体の荷重を負担させることにより、コンクリート躯体を支持することができる。これにより、解体された型枠および型枠支保工を直上階のコンクリート躯体の型枠および型枠支保工として使用することができる。
【００１１】
また、支持具がコンクリート躯体の荷重を負担することにより、コンクリート躯体が自重により撓んだり、この撓みによってコンクリート躯体にひび割れが生じたりすることを防ぐことができる。
さらに、コンクリート躯体に作用する荷重の変動があった場合にも、荷重負担機構がこの荷重の変動を吸収することができるため、コンクリート躯体に歪みやひび割れが生じることを防止することができる。
【００１２】
また、本発明に係る支持具では、前記腰管は外周面にねじ部が形成され、前記荷重負担機構は、前記腰管の前記ねじ部に螺合し該ねじ部に対する高さを調節可能な調節ねじと、下端部が該調節ねじに支持されるとともに内部に前記腰管が挿通された管状体と、前記差込管の外周面から突出する突起部と、前記管状体と前記突起部との間に介装され前記腰管と前記差込管とを互いに離間する方向へ付勢するばね部と、を備えることが好ましい。
このように構成されることにより、調節ねじの高さを調節すると、調節ねじとともに管状体の高さが調節され、管状体と突起部との間隔が調節されるため、ばね部の長さを調節してばね部が負担する荷重を所望の値に設定することができる。
【００１３】
また、本発明に係る支持具では、前記ばね部の伸縮長さを計測する計測具を備えることが好ましい。
このように構成されることにより、計測具を基にばね部を所望の長さに調節することにより、ばね部が負担する荷重を所望の値に設定することができる。
【００１４】
本発明に係るコンクリート系構造物の施工方法では、前記支持具を用いたコンクリート系構造物の施工方法であって、ｎ階のコンクリート躯体用の型枠を設置するｎ階型枠設置工程と、前記ｎ階のコンクリート躯体用の型枠にコンクリートを打設するｎ階コンクリート打設工程と、前記ｎ階のコンクリート躯体用の型枠に打設されたコンクリートの養生期間において前記コンクリートの強度が前記ｎ階のコンクリート躯体から前記型枠を外すことが可能な強度に達した後に、前記型枠を解体するｎ階型枠解体工程と、
前記ｎ階型枠解体工程において前記型枠が外された前記ｎ階のコンクリート躯体を前記支持具に支持させるために該支持具を設置するｎ階支持具設置工程と、前記ｎ階型枠解体工程において解体した前記型枠をｎ＋１階のコンクリート躯体用の型枠として設置するｎ＋１階型枠設置工程と、該ｎ＋１階のコンクリート躯体用の型枠にコンクリートを打設するｎ＋１階コンクリート打設工程と、前記ｎ階のコンクリート躯体のコンクリートが設計強度に達した後に、前記ｎ階のコンクリート躯体を支持している前記支持具を解体するｎ階支持具解体工程と、前記ｎ＋１階のコンクリート躯体用の型枠に打設されたコンクリートの養生期間において前記コンクリートの強度が前記ｎ＋１階のコンクリート躯体から前記型枠を外すことが可能な強度に達した後に、前記型枠を解体するｎ＋１階型枠解体工程と、前記ｎ＋１階型枠解体工程において前記型枠が外された前記ｎ＋１階のコンクリート躯体を前記支持具に支持させるために前記ｎ階支持具解体工程において解体された前記支持具を設置するｎ＋１階支持具設置工程と、を備えることを特徴とする。
【００１５】
本発明では、コンクリートの養生期間においてコンクリートの強度がコンクリート躯体から型枠を外すことが可能な強度に達した後に、型枠を解体するｎ階型枠解体工程と、型枠が外されたｎ階のコンクリート躯体を支持具に支持させるために支持具を設置するｎ階支持具設置工程と、を備えていることにより、コンクリート躯体のコンクリートの強度が設計強度に達していない場合でも、このコンクリート躯体の型枠を撤去し、支持具でコンクリート躯体を支持することができる。これにより、解体された型枠や型枠支保工を直上階（ｎ＋１階）のコンクリート躯体の型枠や型枠支保工として使用することができる。
【発明の効果】
【００１６】
本発明によれば、解体された型枠や型枠支保工を直上階のコンクリート躯体の型枠および型枠支保工として使用することができるため、従来よりも型枠および型枠支保工の数量を少なくすることができて、型枠および型枠支保工の製作などの準備や管理に係る労力や費用を削減することができる。
また、直上階へ型枠および型枠支保工を揚重すればよいため、揚重作業を容易に行うことがことができる。
【図面の簡単な説明】
【００１７】
【図１】（ａ）〜（ｃ）は本発明の実施形態による構造物の施工方法を説明する図である。
【図２】本発明の実施形態による支持具の一例を示す図である。
【図３】（ａ）は支持具のばね部を説明する図で（ｂ）のＡ−Ａ線断面図、（ｂ）は（ａ）のＢ−Ｂ線断面図である。
【図４】（ａ）〜（ｃ）は従来の構造物の施工方法を説明する図である。
【発明を実施するための形態】
【００１８】
（第１実施形態）
以下、本発明の実施形態による支持具について、図１乃至図３に基づいて説明する。
図１に示すように、本実施形態による支持具１は、鉄筋コンクリート造や鉄骨鉄筋コンクリート造等の構造物（コンクリート系構造物）３１の梁一体型のコンクリートスラブ（コンクリート躯体）３２の施工時に使用されている。そして、本実施形態によるコンクリートスラブ３２の施工方法では、コンクリートスラブ３２の型枠３３にコンクリートＣが打設されて、このコンクリートＣが硬化して設計強度よりは小さいが型枠３３を外すことが可能な所定の強度（以下、脱型可能強度とする）に達したら、型枠３３および型枠支保工３４を解体し、型枠３３が外れたコンクリートスラブ３２を複数の支持具１で支持してコンクリートスラブ３２の養生を行っている。
ここで、コンクリートスラブ３２を施工する施工階をｎ階とし、その直下階をｎ−１階、直上階をｎ＋１階として以下説明する。
【００１９】
（支持具）
図２に示すように、本実施形態による支持具１は、下端部２ｂ（図１参照）がｎ−１階のコンクリートスラブ３２（図１（ｂ）参照）に支持され上端部２ａ近傍の外周面にねじ部３が形成された腰管２と、該腰管２内にスライド自在に挿通されｎ階のコンクリートスラブ３２（図１（ｂ）参照）を下方から支持する差込管４と、腰管２のねじ部３に螺合しねじ部３に対する高さを調節可能な調節ねじ５と、下端部６ｂが調節ねじ５に支持されるとともに内部に腰管２が挿通されたパイプ（管状体）６と、差込管４に形成された貫通孔４ｃに挿入されて端部が差込管４の外周面から突出するピン（突起部）７と、パイプ６とピン７との間に介装されたばね部８と、ばね部８の長さからばね部８に作用する荷重を計測する計測具９と、を備えている。
なお、本実施形態では、調節ねじ５と、パイプ６と、ピン７とばね部８と、が本発明の荷重負担機構を構成している。
【００２０】
図１に戻り、腰管２は、円筒状に形成され、下端部２ｂには、コンクリートスラブ３２の上面３２ａに当接して支持される台板１１が取り付けられている。
差込管４は、円筒状に形成され、上端部４ａには、コンクリートスラブ３２の下面３２ｂに当接して支持する受板１２が設けられている。
【００２１】
図２に示すように、調節ねじ５は、円環状に形成されて内周面にねじ部が形成されたねじ本体１３と、ねじ本体１３にピン接合されたジャッキハンドル１４とを備えている。
ジャッキハンドル１４は、ねじ本体１３を回転させるとき（使用時）には水平姿勢となり、不使用時には垂直姿勢となるように構成されている。
【００２２】
パイプ６は、ねじ本体１３の上部に配設されていて、ねじ本体１３とともに上下方向へ移動可能に構成されている。
図２および図３に示すように、ピン７は、差込管４の対向する位置に形成され径方向に貫通する一対の貫通孔４ｃ，４ｃに挿入されている。ピン７は、その両端部７ａ（図３（ｂ）参照）が差込管４の外周面から突出するように構成されている。
ばね部８は、コイル状に形成され、内部に差込管４が挿通されている。ばね部８の下端部８ｂは、パイプ６の上端部６ａと当接している。パイプ６の上端部６ａには、ばね部８と当接するための当接面１５が形成されている。
【００２３】
また、ばね部８の上端部８ａには、環状に形成され、内部に差込管４が挿通された受座１６が設置されている。
この受座１６は、差込管４の貫通孔４ｃに挿通されたピン７の下側に位置し、このピン７と当接してピン７の上側へ移動できないように構成されている。
ばね部８は、パイプ６と受座１６との間に設置されていて、調節ねじ５とともにパイプ６が上下することで、伸縮するように構成されている。
【００２４】
計測具９は、上下方向に延在する長尺の板状に形成されていて、上端部９ａが受座１６に取り付けられている。計測具９は、ばね部８の長さを計測できるように所定の間隔毎に目盛りが記載されている。また、計測具９は、ばね部８の長さを測定することでばね部８に作用する荷重を測定可能であるため、計測具９には、目盛りに対応する荷重が記載されている。
【００２５】
上述した支持具１でｎ階のコンクリートスラブ３２を支持するには、図１（ｂ）に示すように、腰管２がｎ−１階のコンクリートスラブ３２に支持されるように支持具１をｎ−１階のコンクリートスラブ３２上に設置し、差込管４の上端部４ａにもうけられた受板１２をｎ階のコンクリートスラブ３２の下面３２ｂと当接させる。
そして、図２に示す調節ねじ５の高さを調節して、調節ねじ５とともにパイプ６の高さを調節する。これにより、パイプ６とピン７との間隔が調節されるため、ばね部８の長さが調節される。
【００２６】
このとき、支持具１がコンクリートスラブ３２を支持できるように、計測具９を基にして、ばね部８の長さおよびばね部８が負担する荷重を設定する。
これにより、支持具１がコンクリートスラブ３２を支持することができる。
【００２７】
（コンクリート係構造物の施工方法）
次に、上述した支持具１を使用して構造物３１を施工する方法について説明する。
まず、図１（ａ）に示すように、コンクリートスラブ３２の型枠３３およびｎ−１階のコンクリートスラブ３２に支持された型枠支保工３４を設置する（ｎ階型枠設置工程）。
続いて型枠３３にコンクリートＣを打設し、コンクリートＣが設計強度に達するまで、所定期間の養生を行う（ｎ階コンクリート打設工程）。
【００２８】
ここで、コンクリートＣの養生期間において、コンクリートＣが硬化して脱型可能強度となったら、型枠３３および型枠支保工３４を解体する（ｎ階型枠解体工程）。そして、この直後に、図１（ｂ）に示すように、支持具１をｎ−１階のコンクリートスラブ３２に設置して、支持具１にｎ階のコンクリートスラブ３２を支持させる。このとき、支持具１の受板１２をコンクリートスラブ３２の下面３２ｂと当接させる。
そして、調節ねじ５の高さを調節して、ばね部８でコンクリートスラブ３２を上側に付勢し、コンクリートスラブ３２にかかる応力がコンクリートＣのひび割れ強度以下となるようにする（ｎ階支持具設置工程）。このとき計測具９の目盛りを確認することで、ばね部８がコンクリートスラブ３２に作用する力を容易に調節することができる。
【００２９】
続いて、解体した型枠３３および型枠支保工３４をｎ階のコンクリートスラブ３２上へ揚重し、ｎ+１階のコンクリートスラブ３２の型枠３３および型枠支保工３４として設置する（ｎ＋１階型枠設置工程設置）。
そして、図１（ｃ）に示すように、ｎ階のコンクリートスラブ３２と同様に、ｎ＋１階のコンクリートスラブ３２のコンクリートＣを打設してコンクリートＣの養生を行う（ｎ＋１階コンクリート打設工程）。
【００３０】
続いて、ｎ階のコンクリートスラブ３２のコンクリート強度が設計強度に達していることを確認し、このコンクリートスラブ３２を支持しｎ−１階のコンクリートスラブ３２上に設置された支持具１を解体し、ｎ階のコンクリートスラブ３２上へ揚重する（ｎ階支持具解体工程）。
そして、ｎ＋１階のコンクリートスラブ３２のコンクリートＣが硬化して脱型可能強度となったら、ｎ＋１階のコンクリートスラブ３２の型枠３３および型枠支保工３４を解体する（ｎ＋１階型枠解体工程）。
続いて、ｎ階のコンクリートスラブ３２上へ揚重された支持具１を組立てて、ｎ＋１階のコンクリートスラブ３２を下側から支持する（ｎ階支持具設置工程）。
このようにして、ｎ＋２階、ｎ＋３階と順次上階のコンクリートスラブ３２の施工を行う。
【００３１】
なお、本実施形態による支持具１は、１０ｍｍ程度のばね部８の歪みによって所定の荷重を支持できるように構成されていることが好ましい。
通常、ｎ＋１階コンクリート打設工程において、ｎ階のコンクリートスラブ３２に作用する荷重が変動して、０．５ｍｍ以下の変形が生じている。本実施形態では、この工程中は、ｎ階のコンクリートスラブ３２を支持具１が支持しているため、荷重の変動に対してばね部８が伸縮することで対応することができる。これにより、コンクリートスラブ３２の変形を抑制することができる。
本実施形態では、この荷重の変動は、ｎ階のコンクリートスラブ３２と支持具１の剛性比により配分されるため、支持具１に伝達される荷重は、極めて小さくなるように設定されている。
【００３２】
次に、上述した支持具およびコンクリートスラブの施工方法の効果について説明する。
本実施形態による支持具１によれば、設計強度に達する前のｎ階のコンクリートスラブ３２を型枠３３を用いずに支持することができるため、コンクリートスラブ３２が自重により撓んだり、この撓みによってコンクリートスラブ３２にひび割れが生じたりすることを防ぐことができる。
これにより、型枠３３および型枠支保工３４を養生期間が終了する前に解体することができる。
【００３３】
そして、解体した型枠３３および型枠支保工３４をｎ＋１階で転用することができることから、各階において同一の型枠３３および型枠支保工３４を転用することができるため、従来のように型枠３３および型枠支保工３４を２層分（２階分）用意する必要がなく、型枠３３および型枠支保工３４の数量を少なくすることができて、型枠３３および型枠支保工３４の製作などの準備や管理に係る労力や費用を削減することができる。
【００３４】
また、型枠３３および型枠支保工３４の揚重作業が、ｎ階からｎ＋１階へ１階分揚重すればよいため、ｎ階からｎ＋２階へ２階分揚重する必要がある従来のコンクリートスラブの施工方法と比べて、作業が容易となる。
また、パーマネントサポートやドロップヘッド機構を備え、型枠支保工３４を残したまま型枠３３のせき板を解体可能な型枠支保工３４と比べて、構成が簡便であるため、設置や解体が容易となり、効率をよく作業を行うことができる。
【００３５】
さらに、支持具１が支持しているコンクリートスラブ３２に作用する荷重の変動があった場合にも、ばね部８が伸縮してこの荷重の変動を吸収することができるため、コンクリートスラブ３２に歪みやひび割れが生じることを防止することができる。
また、ばね部８の長さを調節することで、支持具１が支持する荷重を調節することができるため、支持する荷重が異なる場合でも、同一の支持具１を使用することができる。
【００３６】
以上、本発明による支持具の実施形態について説明したが、本発明は上記の実施形態に限定されるものではなく、その趣旨を逸脱しない範囲で適宜変更可能である。
例えば、上述した実施形態では、支持具１は梁一体型のコンクリートスラブ３２を支持しているが、一体となっていないスラブや梁、またその他の部材を支持してもよい。
また、支持具１に備えられた、腰管２、差込管４および調節ねじは、従来のパイプサポートなどの型枠支保工３４の腰管、差込管、調節ねじを利用してもよい。また、差込管４の貫通孔４ｃやピン７は、従来の差込管に形成されている貫通孔やこの貫通孔に挿通されるピンを利用してもよい。このように、支持具１に従来の型枠支保工３４を利用することにより、コストを削減することができる。
【００３７】
また、本実施形態では、調節ねじ５と、パイプ６と、ピン７とばね部８と、が本発明の荷重負担機構を構成しているが、これ以外にシリンダなどを荷重負担機構として採用してもよい。
また、本実施形態では、計測具９を備え、ばね部８の長さを測定しているが、計測具９を備えていない構成としてもよい。
【符号の説明】
【００３８】
１  支持具
２  腰管
３  ねじ部
４  差込管
５  調節ねじ
６  パイプ（管状体）
７  ピン（突起部）
８  ばね部
９  計測具
３１  構造物（コンクリート系構造物）
３２  コンクリートスラブ（コンクリート躯体）
３３  型枠
３４  型枠支保工  
【図１】
2012167442.tif 000003
【図２】
2012167442.tif 000004
【図３】
2012167442.tif 000005
【図４】
2012167442.tif 000006